(57)【要約】【課題】窮屈な装着感を伴うことなく両脇への肉の移動を防止して美しい胸部のボディーラインを形成し得るブラジャーを提供する。【解決手段】乳房を納めるカップ部と、カップ部の下辺縁に縫着されてアンダーバスト部位を正面から両脇にかけて覆う土台布部３と、上記土台布部３の両側に設けられて体側から背面を覆う一対のサイドベルト部４とを有するブラジャーにおいて、上記土台布部３とサイドベルト部４との接合部に細幅の芯材５１ａ，５１ｂを縦方向に並列に配してサイドボーン部５を形成する。上記各芯材５１ａ，５１ｂの間は非伸縮性の布地を配して、ブラジャー装着時においても各芯材５１ａ，５１ｂの配置がずれないようにし、装着時にこれら芯材５１ａ，５１ｂによって両脇への肉の移動を抑制する。【選択図】　図２
0003098420.tif 000002
【実用新案登録請求の範囲】
【請求項１】
乳房を納めるための一対のカップ部と、前記カップ部の下辺縁に縫着されてアンダーバスト部位を正面から両脇にかけて覆う土台布部と、前記土台布部の両側に設けられて体側から背面を覆う一対のサイドベルト部とを有するブラジャーにおいて、
前記土台布部とサイドベルト部との接合部に、細幅の芯材を縦方向に複数並列に配してサイドボーン部を形成してなる
ことを特徴とするブラジャー。
【請求項２】
前記複数の芯材が２本からなることを特徴とする請求項１に記載のブラジャー。
【請求項３】
前記各芯材の間隔は下方が幅広となるように設定されていることを特徴とする請求項２に記載のブラジャー。
【請求項４】
前記芯材のうち土台布側の芯材が、ブラジャー装着時にその下端部が上端部よりも背面側に位置するように傾斜して配されていることを特徴とする請求項３に記載のブラジャー。
【請求項５】
前記各芯材が所定の配置を維持するように各芯材間に非伸縮性の布地が配されていることを特徴とする請求項１から４のいずれかに記載のブラジャー。
【請求項６】
前記各芯材は、薄板状の樹脂製部材で構成されていることを特徴とする請求項１から５のいずれかに記載のブラジャー。
【考案の詳細な説明】
【０００１】
【考案の属する技術分野】
この考案はブラジャーに関し、より詳細には、装着時に乳房を正面に安定して保持し、余分な肉が両脇に逃げない構造を備えたブラジャーに関する。
【０００２】
【従来の技術】
従来、女性の乳房を保持して胸部のボディーラインを美しく見せる下着としてブラジャーがある。この種のブラジャーは、図４に示すように、乳房を納めるための左右一対のカップ部ａと、該カップ部ａの下辺縁に縫着されてアンダーバスト部位を正面から両脇にかけて覆う土台布部ｂと、上記土台布部ｂの両側に設けられて体側から背面を覆う一対のサイドベルト部ｃとを有してなり、さらに上記土台布部ｂとサイドベルト部ｃとの接合部には細幅の芯材を縦方向に１本配してなるサイドボーン部ｄが形成されている。
【０００３】
上記サイドボーン部ｄは、伸縮性の低い布地（非伸縮性の布地）で形成された土台布部ｂと伸縮性の高い布地（伸縮性のある布地）で形成されたサイドベルト部ｃとの接合部にあって当該接合部分の型崩れを防止するとともに、上記カップ部ａに納められた乳房や乳房周辺の肉が両脇にずれるのを防止する機能を果たしている。
【０００４】
【考案が解決しようとする課題】
しかしながら、このような従来の構成よりなるブラジャーでは以下のような問題がありその改善が求められていた。
【０００５】
すなわち、女性の乳房はブラジャーを装着しないで放置すると、下方に垂れ、かつ左右に開く傾向がある。カップ部ａに納められた乳房も同様であり、従来のブラジャーでは上記サードボーン部ｄによって乳房やその周辺の肉が両脇に逃げるのを防止していたが、サイドボーン部ｄに使用される芯材は、ブラジャー全体の外観をきれいに見せるために細幅の目立たないものが使用されていたため、肉が両脇に逃れるのを完全に防ぎきれなかった。
【０００６】
つまり、従来のブラジャーでは、サイドベルト部ｃをきつく締めてサイドボーン部ｄを体側に強く押し当てることによって肉が両脇へ移動するのある程度まで防止できるが、それでは装着感が窮屈である。一方、この窮屈感を解消しようとしてサイドベルト部ｃを緩めるとサイドボーン部ｄによる押圧力が低下して肉の移動を防ぎきれない。
【０００７】
本考案はこのような従来の問題点に鑑みてなされたものであって、その目的とするところは、窮屈な装着感を伴うことなく両脇への肉の移動を防止して美しい胸部のボディーラインを形成し得るブラジャーを提供することにある。
【０００８】
【課題を解決するための手段】
上記目的を達成するため、本考案に係るブラジャーは、乳房を納めるための一対のカップ部と、上記カップ部の下辺縁に縫着されてアンダーバスト部位を正面から両脇にかけて覆う土台布部と、上記土台布部の両側に設けられて体側から背面を覆う一対のサイドベルト部とを有するブラジャーにおいて、上記土台布部とサイドベルト部との接合部に、細幅の芯材を縦方向に複数並列に配してサイドボーン部を形成してなることを特徴とする。
【０００９】
そして、その好適な実施態様として、上記複数の芯材は２本で構成される。また、各芯材の間隔は下方が幅広となるように設定される。さらに、上記芯材のうち土台布側の芯材は、ブラジャー装着時にその下端部が上端部よりも背面側に位置するように傾斜して配される。
【００１０】
また、上記各芯材の間には、各芯材が所定の配置を維持するように非伸縮性の布地が配されていることが好ましく、さらには、上記各芯材は、薄板状の樹脂製部材で構成されていることが好ましい。
【００１１】
【考案の実施の形態】
以下、本考案の実施形態を図面に基づいて詳細に説明する。
【００１２】
本考案に係るブラジャーは、両脇への肉の移動を抑制して胸部のボディーラインを美しく保つブラジャーであって、図１および図２に示すように、このブラジャー１は、乳房を納めるための左右一対のカップ部２と、当該カップ部２の下辺縁に縫着されてアンダーバスト部位を正面から両脇にかけて覆う土台布部３と、上記土台布部３の両側に設けられて体側から背面を覆う左右一対のサイドベルト部４と、上記土台布部３とサイドベルト部４との接合部に、細幅の芯材５１を縦方向に複数並列に配して構成されたサイドボーン部５とを主要部として備えている。
【００１３】
上記カップ部２は、ふくらみのある乳房を見ためよく収容できる形状（たとえば図示のような略椀型の形状）に縫製された部材であり、本実施形態では、略円弧状の下辺縁２１（後述する土台布部３との接合部）に、ワイヤなどの形状補正用の芯材が封入されたテープが縫着されている。なお、これらカップ部２の具体的な構成は本考案と直接関係がなくまた周知でもあるので、ここではその詳細な説明は省略する。
【００１４】
上記土台布部３は、上記カップ部２の位置を規定するとともに、ブラジャー装着者のアンダーバスト部分の正面および側面（両脇）に密接して上記カップ部３とともに乳房を支える部材であって、図示のように、上記カップ部２の下辺縁２１に縫着されている。そして、この土台布部３には、上述した機能を果たすために非伸縮性の布地（または伸縮性を有する布地に非伸縮性の布地を縫着するなどして伸縮性を少なくした布地）が使用される。
【００１５】
そして、この土台布部３の両端には、装着時に体側から背面を覆う左右一対のサイドベルト部４が縫着されている。図２は、上記サイドベルト部４の裏面の状態を拡大して示している。
【００１６】
このサイドベルト部４には伸縮性を有する布地が好適に使用される。そして、左右それぞれのサイドベルト部４の先端には着脱可能に構成された係止具６が装着されている。上記係止具６は、周知のように、雌雄が係合する金具を備えて構成され、一方のサイドベルト部４には雄の金具が、また他方のサイドベルト部４には雌の金具が取り付けられている。図２は、このうちの雌の金具６１が取り付けられた係止具６を有するサイドベルト部４の状態を示している（雄の金具を有する他方のサイドベルト部４については図示を省略する）。
【００１７】
そして、サイドベルト部４および上記土台布部３の上辺縁および下辺縁には長手方向に伸縮性を有する細長のサイドテープ７が縫着されており、さらに各サイドベルト部４の上辺中程より先端よりの位置（換言すればブラジャー装着時に背側に当たる位置）には、一端が上記カップ部２の上端付近に連結されたストラップ８の他端が取付金具８１を介して取り付けられている。なお、このストラップ８の具体的構成も周知であるのでここではその説明を省略する。
【００１８】
サイドボーン部５は、上記土台布部３とサイドベルト部４との接合部に設けられて、当該接合部の型崩れの防止とブラジャー装着時に体側に密接して乳房周辺の肉が両脇に逃げないようにする働きを有する部位であって、本実施形態では、このサイドボーン部５として、図２に示すように、サイドベルト部４の基端部に、長手方向に対して交叉する方向（縦方向）に細幅の２本の芯材５１ａ，５１ｂが取り付けられている。
【００１９】
具体的には、上記芯材５１ａ，５１ｂは、図２に示すように、サイドベルト部４の下辺縁側（下方）の間隔が幅広となるように略ハの字状に装着される。たとえば、上記芯材５１ａ，５１ｂの上辺縁側の間隔が５ｍｍ程度に設定されている場合には、下辺縁側の両者の間隔は１５乃至２０ｍｍ程度となるように設定される。
【００２０】
そして、土台布部３側の芯材５１ａは、ブラジャー装着時にサイドベルト部４の長手方向に対してほぼ垂直に位置するように（好ましくは、芯材５１ａの下辺縁側端部（下端部）が上辺部縁側端部（上端部）の鉛直下方位置よりもやや装着者の背面側に位置するように）取り付けられる。つまり、上記芯材５１ａ，５１ｂはともにその上端部より下端部が背面側に位置するような傾きをもって取り付けられている（図２，図３参照）。
【００２１】
ここで、上記芯材５１ａ，５１ｂをこのような傾きを持って配置させたのは、かかる傾きを付けたことによって上述したサイドボーン部５の機能（肉が両脇に逃げるのを防止する機能）がより効果的なものとなり、しかもこの方が装着感も良好であることが出願人の実験により判明したからである。
【００２２】
なお、このように装着される上記芯材５１ａ，５１ｂは、いずれも薄板状（具体的には厚さ１ｍｍ程度）で幅数ミリ程度（具体的には幅５ｍｍ程度）の細長い樹脂製の部材で構成されており、これら芯材５１ａ，５１ｂは袋状の封入テープ５２に収容された状態でサイドベルト部４に縫着される。なお、図示例では、この袋状の封入テープ５２の上下両端部は上記サイドテープ７とともにサイドベルト部４の上辺縁および下辺縁に縫着され、内部の芯材５１ａ，５１ｂが外部に抜け落ちるのが防止されている。
【００２３】
そして、本実施形態では、上記サイドベルト部４は伸縮性を有する布地で構成されているので、上記封入テープ５２，５２（換言すれば、上記芯材５１ａ，５１ｂ）の間には不織布などの非伸縮性の布地が縫着され、ブラジャー装着時にサイドベルト部４の引っ張り力によってサイドボーン部５が変形しない（上記芯材５１ａ，５１ｂの配置が崩れない）ようにされている。つまり、本実施形態では、芯材５１ａ，５１ｂの間に不織布を縫着することによって、ブラジャー装着時においても、上記各芯材５１ａ，５１ｂが上述した所定の配置を維持するように構成されている。
【００２４】
このように、本実施形態に示すブラジャーは、土台布部３とサイドベルト部４との接合部に細幅の芯材５１を縦方向に複数並列に配することによりサイドボーン部５が形成されているので、乳房周辺の肉が両脇に逃げるのを確実に防止することができる。しかも、このような機能が複数の芯材５１によって果たされているので、装着時の窮屈感を少なくすることができ、良好な装着感を得ることができる。
【００２５】
特に、上記各芯材５１ａ，５１ｂは布地によって連結されているので、ブラジャー装着時にはこれら各芯材５１ａ，５１ｂが体型に応じて体側に密接するので、乳房周辺の肉の移動を効果的に抑制することができる。
【００２６】
なお、上述した実施形態はあくまでも本考案の好適な実施態様を示すものであって、本考案はこれらに限定されることなくその範囲内で種々の設計変更が可能である。
【００２７】
たとえば、上述した実施形態では、上記芯材５１として２本の芯材を用いたが、芯材５１は複数であれば３本以上設けてもよい。また、その配置についても縦方向に並列に配置されていれば、上述した略ハの字の状態に限らず他の配列を用いることも可能である。
【００２８】
また、上述した実施形態では、上記芯材５１として薄板状の樹脂製部材を用いたが、上記機能を果たすものであれば他の部材（たとえば厚めの布地やワイヤーなど）を用いて代替することも可能である。
【００２９】
また、上述した実施形態では、上記サイドボーン部５は、サイドベルト部４の基端部に芯材５１の封入されたテープ５２を縫着することによって形成されていた（つまり、サイドベルト部４側に形成されていた）が、土台布部３側に形成することも可能である。さらには、上記土台布部３やサイドベルト部４とは別のパーツとして構成し、土台布部３とサイドベルト部４との間に介在させることも可能である。
【００３０】
【考案の効果】
以上詳述したように、本考案によれば、乳房を納めるための一対のカップ部と、前記カップ部の下辺縁に縫着されてアンダーバスト部位を正面から両脇にかけて覆う土台布部と、前記土台布部の両側に設けられて体側から背面を覆う一対のサイドベルト部とを有するブラジャーにおいて、前記土台布部とサイドベルト部との接合部に、細幅の芯材を縦方向に複数並列に配してサイドボーン部を形成してなることから、ブラジャー装着時には、複数の芯材によって乳房周辺の肉が両脇に逃げるのが防止されるので、肉の両脇への移動を確実に抑制でき胸部のボディーラインを美しく保つことができる。
【００３１】
また、上記機能を複数の芯材に分担させたことにより、装着時の窮屈感がなく、しかも、個々の芯材の幅寸法を細く設定することができるので、従来のブラジャーのように目立たない細幅の芯材を用いることができ、見た目にも美しいブラジャーを提供することができる。
【図面の簡単な説明】
【図１】本考案に係るブラジャーの外観を示す斜視図である。
【図２】同ブラジャーのサイドボーン部およびサイドベルト部の詳細を示す拡大図である。
【図３】同ブラジャーの装着時の状態を示す斜視図である。
【図４】従来のブラジャーの外観を示す斜視図である。
【符号の説明】
１　　　　　　　ブラジャー
２　　　　　　　カップ部
３　　　　　　　土台布部
４　　　　　　　サイドベルト部
５　　　　　　　サイドボーン部
５１ａ，５１ｂ　芯材
５２　　　　　　封入テープ
６　　　　　　　係止具
８　　　　　　　ストラップ
【図１】
0003098420.tif 000003
【図２】
0003098420.tif 000004
【図３】
0003098420.tif 000005
【図４】
0003098420.tif 000006